(57)【要約】【課題】電子機器の本体やリモコンにおいて大きさや方向等の相対する信号の入力に使用され、通常状態において操作釦とケース部分との間に隙間のないシーソー操作型スイッチ装置を提供する。【解決手段】ケース４の上部と枠体５の間に、操作面７が露出し外周の突出部６Ａ，６Ｂが隠されて、長方形の操作釦６が傾倒可能に支持され、その両端部近傍の下面に保持されて規制溝により傾かないように規制された回動軸９Ａ，９Ｂに設けた押圧部１０Ａ，１０Ｂで、下方の基板２上の２つの押圧スイッチ３Ａ，３Ｂを押圧動作させるとともに、通常状態において、２つの押圧スイッチ３Ａ，３Ｂの自己復帰力により押し上げられた操作釦６の外周の突出部６Ａ，６Ｂが枠体５の内枠部５Ｂに押し付けられている構成とする。【選択図】図２
2008293673.tif 000002
【特許請求の範囲】
【請求項１】
長手方向の対向する両端部近傍の上面に、それぞれ自動復帰型の押圧スイッチが装着された長方形の基板と、
前記基板の上方に前記基板と略平行で傾倒可能に配設された、長方形平板状の操作面を有する操作釦と、
前記操作面の長手方向と直交する回動軸と、前記回動軸の中間部に、前記押圧スイッチのプッシュ体に当接して設けられた押圧部および前記回動軸の軸線に垂直な方向に突出した平板部とを備え、前記操作釦の下面で前記押圧スイッチの上方に保持された２つのスイッチ駆動体と、
前記基板と操作釦の間に配設された下面開放の箱型形状で、長方形の天井面を貫通して設けられ、前記スイッチ駆動体の前記平板部に係合して前記回動軸が傾かないようにする規制溝、および前記天井面上の長手方向中点位置に、前記基板の両端部近傍の押圧スイッチを同時に動作させないようにする当接部を備えるケースと、
前記ケースの上部に固定され、前記操作面が上方に露出して外周が隠れるように前記操作釦を覆うとともに、前記操作釦の上方への位置決めをする枠体とからなり、
前記基板の２つの押圧スイッチの自己復帰力により前記スイッチ駆動体の押圧部を介して前記操作釦が押し上げられ、その外周が前記枠体の位置決め部に当接していることを特徴とするシーソー操作型スイッチ装置。
【請求項２】
長手方向の対向する両端部近傍の上面に、それぞれ自動復帰型の押圧スイッチが装着された長方形の基板と、
前記基板の上方に前記基板と略平行で傾倒可能に配設された、長方形平板状の操作面を有する操作釦と、
前記操作面の長手方向と直交する回動軸と、前記回動軸の中間部に、前記押圧スイッチのプッシュ体に対峙して設けられた押圧部および前記回動軸の軸線に垂直な方向に突出した平板部とを備え、前記操作釦の下面で前記押圧スイッチの上方に保持された２つのスイッチ駆動体と、
前記基板と操作釦の間に配設された下面開放の箱型形状で、長方形の天井面を貫通して設けられ、前記スイッチ駆動体の前記平板部に係合して前記回動軸が傾かないようにする規制溝および、前記天井面上の長手方向中点位置に、前記基板の両端部近傍の押圧スイッチを同時に動作させないようにする当接部を備えるケースと、
前記ケースに固定されて、前記２つのスイッチ駆動体の回動軸をそれぞれ上方へ付勢するアームを備えたばね体と、
前記ケースの上部に固定され、前記操作面が上方に露出して外周が隠れるように前記操作釦を覆うとともに、前記操作釦の上方への位置決めをする枠体とからなり、
前記ばね体のアームの弾性力により前記スイッチ駆動体の回動軸を介して前記操作釦が押し上げられ、その外周が前記枠体の位置決め部に当接していることを特徴とするシーソー操作型スイッチ装置。
【請求項３】
前記基板上の２つの押圧スイッチの中間位置に照光用のＬＥＤを装着し、前記ケースの天井面に導光用の開口部を設けるとともに、前記操作釦の操作面の一部に透光表示部を設けたことを特徴とする請求項１または２に記載のシーソー操作型スイッチ装置。
【請求項４】
前記ケースの天井面の開口部から基板面に向けて前記ＬＥＤを囲う反射・集光用の導光路を一体に設けたことを特徴とする請求項３に記載のシーソー操作型スイッチ装置。
【発明の詳細な説明】
【技術分野】
【０００１】
本発明は、各種電子機器の本体やリモコンに使用されて、大きさや方向などの相対する信号を入力するためのシーソー操作型スイッチ装置に関する。
【背景技術】
【０００２】
近年、各種の電子機器において、出力や機能の大小や高低、アップダウンなどの相対的な方向への切替え信号を入力するために、機器本体やリモコンにシーソー操作型スイッチ装置を使用することが多い。
【０００３】
このようなシーソー操作型スイッチ装置の操作釦は、特許文献１や特許文献２にもあるように、通常、操作面の中間部下方に通された円形ピンまたは中間部下方に設けられた円形のダボ部を、スイッチケースの対向する壁面に設けられた支持孔により回動可能に支持する構成である。
【０００４】
そして、このようなシーソー操作型の操作釦は、上面の両端部近傍の操作部を下方へ押し込んで操作するものであるために、操作釦の周囲とスイッチケースとの間に一定の隙間を設けておく必要があり、この隙間はスイッチを操作しない通常状態において存在するとともに、一方の操作部を下方へ押圧操作する際に他方の操作部の近傍でより広くなるものである。
【特許文献１】実公平２−９８６号公報
【特許文献２】特開平５−４１１４１号公報
【発明の開示】
【発明が解決しようとする課題】
【０００５】
このようなシーソー操作型スイッチ装置の操作釦とスイッチケースとの間の隙間は、この部分からスイッチ内部へ塵埃が侵入する可能性があるとともに外観上も好ましいものでない。
【０００６】
また、このようなシーソー操作型スイッチ装置と同じ目的で、リモコンなどの表面を覆っている樹脂シートの下部に内蔵した２つの押圧スイッチを使用する方式もあるが、このような方式は塵埃に対しては有利であるが、高級感が乏しいとともに、相対する２つのスイッチを同時に押してしまうことがある。
【０００７】
本発明はこのような従来のシーソー操作型スイッチ装置の課題を解決するためになされたものであり、通常状態において操作釦とケース部分との間に隙間がなく、スイッチ内部へ塵埃が侵入する可能性が少なくて、外観上の見栄えも良く、更に、動作が安定しているとともに、基板上の２つの押圧スイッチを同時に動作させることのないシーソー操作型スイッチ装置を提供することを目的とする。
【課題を解決するための手段】
【０００８】
上記課題を解決するために、本発明のシーソー操作型スイッチ装置は、長手方向の対向する両端部近傍の上面に、それぞれ自動復帰型の押圧スイッチが装着された長方形の基板と、基板の上方に基板と略平行で傾倒可能に配設された、長方形平板状の操作面を有する操作釦と、操作面の長手方向と直交する回動軸と、回動軸の中間部に、押圧スイッチのプッシュ体に当接して設けられた押圧部および回動軸の軸線に垂直な方向に突出した平板部とを備え、操作釦の下面で押圧スイッチの上方に保持された２つのスイッチ駆動体と、基板と操作釦の間に配設された下面開放の箱型形状で、長方形の天井面を貫通して設けられ、スイッチ駆動体の平板部に係合して回動軸が傾かないようにする規制溝、および天井面上の長手方向中点位置に、基板の両端部近傍の押圧スイッチを同時に動作させないようにする当接部を備えるケースと、ケースの上部に固定され、操作面が上方に露出して外周が隠れるように操作釦を覆うとともに、操作釦の上方への位置決めをする枠体とからなり、基板の２つの押圧スイッチの自己復帰力によりスイッチ駆動体の押圧部を介して操作釦が押し上げられ、その外周が枠体の位置決め部に当接しているものである。
【０００９】
このような構成とすることにより、通常状態において、操作釦が押圧スイッチの自己復帰力によって枠体に押し付けられているので、操作釦とケース部の間に隙間がなくてスイッチ内部へ塵埃が侵入する可能性が少ないとともに、外観上の見栄えも良く、更に、回動軸によって常に押圧スイッチを垂直に押すことができるので動作が安定していることに加えて、基板上の２つの押圧スイッチを同時に動作させることのないシーソー操作型スイッチ装置を実現することができる。
【００１０】
また、本発明のシーソー操作型スイッチ装置は、長手方向の対向する両端部近傍の上面に、それぞれ自動復帰型の押圧スイッチが装着された長方形の基板と、基板の上方に基板と略平行で傾倒可能に配設された、長方形平板状の操作面を有する操作釦と、操作面の長手方向と直交する回動軸と、回動軸の中間部に、押圧スイッチのプッシュ体に対峙して設けられた押圧部および回動軸の軸線に垂直な方向に突出した平板部とを備え、操作釦の下面で押圧スイッチの上方に保持された２つのスイッチ駆動体と、基板と操作釦の間に配設された下面開放の箱型形状で、長方形の天井面を貫通して設けられ、スイッチ駆動体の平板部に係合して回動軸が傾かないようにする規制溝および、天井面上の長手方向中点位置に、基板の両端部近傍の押圧スイッチを同時に動作させないようにする当接部を備えるケースと、ケースに固定されて、２つのスイッチ駆動体の回動軸をそれぞれ上方へ付勢するアームを備えたばね体と、ケースの上部に固定され、操作面が上方に露出して外周が隠れるように操作釦を覆うとともに、操作釦の上方への位置決めをする枠体とからなり、ばね体のアームの弾性力によりスイッチ駆動体の回動軸を介して操作釦が押し上げられ、その外周が枠体の位置決め部に当接しているようにしてもよい。
【００１１】
このような構成とすることにより、上記の構成によるものと同様の効果に加えて、操作釦がばね体のアームの弾性力によって枠体に押し付けられているので、操作釦を押し上げる力が大きくて安定しており、誤って操作面に触れた場合などの誤操作が少なくなるとともに、基板に装着する押圧スイッチを自己復帰力の大きいものとする必要がないことは勿論、動作ストロークの短いものでもよく、各種の特性の押圧スイッチを使用することができて、巾広い用途に対応し易いシーソー操作型スイッチ装置とすることができる。
【００１２】
また、上記構成において、基板上の２つの押圧スイッチの中間位置に照光用のＬＥＤを装着し、ケースの天井面に導光用の開口部を設けるとともに、操作釦の操作面の一部に透光表示部を設けるようにしてもよい。
【００１３】
このような構成とすることにより、両端部近傍にそれぞれ押圧スイッチを装着した基板上の空きスペースである中央部にＬＥＤを装着して、操作する内容を操作釦の操作面に照光表示することができるので、非常に使い勝手の良いシーソー操作型スイッチ装置とすることができる。
【００１４】
また、上記構成において、ケースの天井面の開口部から基板面に向けてＬＥＤを囲う反射・集光用の導光路を一体に設けるようにしてもよい。
【００１５】
このような構成とすることにより、ＬＥＤの発光を効率良く操作釦へ導いて、表示部を明るく明確なものとすることができる。
【発明の効果】
【００１６】
本発明のシーソー操作型スイッチ装置は、通常状態において、操作釦が上方に押し上げられて枠体に押し付けられているので、操作釦とケース部との間に隙間がないので、スイッチ内部へ塵埃が侵入する可能性が少ないとともに、外観上の見栄えも良く、更に、動作が安定していることに加えて、基板上の２つの押圧スイッチを同時に動作させることのないシーソー操作型スイッチ装置を実現できるという大きな効果を奏する。
【発明を実施するための最良の形態】
【００１７】
以下、本発明の実施の形態について、図面を参照しながら説明する。
【００１８】
（第１の実施の形態）
図１は、本発明の第１の実施の形態によるシーソー操作型スイッチ装置１の外観斜視図、図２は図１のＥ−Ｅ線における断面図、図３は図２のＦ−Ｆ線における断面図（ただし、押圧スイッチおよび回動軸は断面にしていない。）、図４は図２のＧ−Ｇ線における断面図、図５は図２のＨ−Ｈ線における断面図である。
【００１９】
図２において、長方形の樹脂製の基板２上には、その長手方向の対向する両端部近傍の上面には、それぞれ自動復帰型の同じ仕様の押圧スイッチ３Ａ，３Ｂが装着されている。
【００２０】
基板２の上部には、下面開放の箱型形状で天井面が長方形のケース４が載せられて、その外周部４Ａ下端に設けたダボ４Ｂを、基板２の四隅に設けた孔２Ａに通して熱カシメをすることにより固定されており、更にその上には、中央が開口部５Ａとなった樹脂製の枠体５が固定されている。
【００２１】
この基板２は、ダボ４Ｂの代わりにビスなどでケース４に固定してもよい。
【００２２】
そして、操作釦６は、長方形平板状の操作面７を有する樹脂製で、操作面７が枠体５の開口部５Ａから上方に露出するとともに、図２、図３および図４に示すように、操作面７の外周全域から長手方向への突出部６Ａ，６Ｂおよびこれと直交する方向への突出部６Ｃが枠体５の内枠部５Ｂの下側へ入り込むことによって、この操作釦６はケース４の上面との間で一定範囲の傾倒可能に支持されている。
【００２３】
これにより操作釦６は基板２と略平行に保持されているとともに、枠体５と操作釦６との間は、上方から見て隙間がない状態になっている。
【００２４】
なお、図１および図４に示すように、枠体５は、その下面に設けられた二組の対向する弾性脚部５Ｃ先端の爪をケース４の外周部４Ａの凹部４Ｃの内に填め込むことによって、ケース４の上面に固定されている。
【００２５】
また、基板２上の２つの押圧スイッチ３Ａ，３Ｂそれぞれの上方には、操作釦６の下面の二組の支持部８Ａ，８Ｂによって、スイッチ駆動体９の回動軸９Ａ，９Ｂが操作面７の長手方向と直交する方向に回動可能に保持されている。
【００２６】
図６の本実施の形態によるシーソー操作型スイッチ装置のスイッチ駆動体９の斜視図に示すように、回動軸９Ａ，９Ｂそれぞれの中間部に押圧部１０Ａ，１０Ｂが設けられているとともに、押圧部１０Ａ，１０Ｂ上部の両側に回動軸９Ａ，９Ｂの軸線に垂直な方向に平板部１１Ａ，１１Ｂが突出しているものである。
【００２７】
そして、スイッチ駆動体９の押圧部１０Ａ，１０Ｂは、図２に示すように、基板２上の押圧スイッチ３Ａ，３Ｂそれぞれのプッシュ体３Ｃ，３Ｄの先端に当接して上方に押されており、これにより操作釦６の外周の突出部６Ａ，６Ｂおよび突出部６Ｃが枠体５の内枠部５Ｂの下面に当接して、通常状態における位置を保っているとともに、操作釦６と枠体５、すなわちケース４部分との間の隙間がないようになっている。
【００２８】
この通常状態における位置を安定した状態に保つためには、押圧スイッチ３Ａ，３Ｂは弾性復帰力が大きいもの、すなわち動作力が大きいものであることが好ましい。
【００２９】
また、スイッチ駆動体９の平板部１１Ａ，１１Ｂは、図５に示すように、ケース４の天井面を貫通して設けられた規制溝１２Ａ，１２Ｂに微小な隙間をあけて上下動可能に係合して、回動軸９Ａ，９Ｂの回動軸線が傾かないように規制している。
【００３０】
そして、ケース４の天井面上の長手方向の中点位置に設けられている一対の山形の突起１３は、図２に示す、その頂部と操作釦６の下面とのギャップ（ａ）が押圧スイッチ３Ａ，３Ｂの動作ストロークの１／２〜１倍の範囲内に設けられており、後述のように、操作釦６全体の下方への移動量を規制する当接部としての役目をするものである。
【００３１】
本実施の形態によるシーソー操作型スイッチ装置１は以上のように構成されるものであり、次にその動作について説明する。
【００３２】
例えば、図１および図２に太い矢印で示すように、シーソー操作型スイッチ装置１の操作面７の右側の端部近くの△印が表示されている部分を下方に押すと、本実施の形態によるシーソー操作型スイッチ装置の操作時における図１のＥ−Ｅ線における断面図である図７に示すように、操作釦６は反対側である左側の突出部６Ａの先端を中心として僅かに回動して、押されている右側が下方に動き、突出部６Ｂは枠体５の内枠部５Ｂから離れる。
【００３３】
これにより、操作釦６の右側下面の回動軸９Ｂの押圧部１０Ｂが、当接しているプッシュ体３Ｄを押して押圧スイッチ３Ｂを動作させてＯＮ状態とし、その信号を配線部（図示せず）を介してスイッチを使用している機器の回路に伝達する。
【００３４】
この時、回動軸９Ｂは平板部１１Ｂが規制溝１２Ｂに係合しているので傾かないとともに、回動軸９Ｂが支持部８Ｂの支持孔を中心として僅かに回動するので、押圧部１０Ｂはプッシュ体３Ｄを垂直に押すことができる。
【００３５】
また、操作釦６の回動軸９Ａ、すなわち押圧部１０Ａは殆ど動かず、押圧スイッチ３Ａは動作しない。
【００３６】
そして、この状態から操作面７に加えていた押し力を除くと、押圧スイッチ３Ｂの弾性復帰力によってプッシュ体３Ｄが押圧部１０Ｂおよび回動軸９Ｂを介して操作釦６を押し上げて元の図２の状態に戻り、押圧スイッチ３ＢもＯＦＦ状態に戻る。
【００３７】
同様にして、操作面７の左側の端部近くの△印が表示されている部分を下方に押すと、今度は反対側の押圧スイッチ３Ａを動作させることができる。
【００３８】
なお、このように操作釦６の操作面７を押してシーソー操作型スイッチ装置１を操作する場合に、誤って操作面７の中央付近を押した場合には操作釦６全体が下方へ動くが、前述のケース４の天井面上の長手方向中点位置に設けられた一対の突起１３と操作釦６の下面とのギャップ（ａ）の寸法が押圧スイッチ３Ａ，３Ｂの動作ストロークの１／２〜１倍で動作ストロークよりも小さいので、２つの押圧スイッチ３Ａ，３Ｂがともに動作するよりも前に、操作釦６の下面がこの突起１３の頂部に当たってしまう。
【００３９】
従って、２つの押圧スイッチ３Ａ，３Ｂが同時にＯＮ状態になることはなく、操作釦が傾いた方向の押圧スイッチのみがＯＮ状態となる。
【００４０】
以上のように、本実施の形態によるシーソー操作型スイッチ装置１は、通常状態において、操作釦６が押圧スイッチ３Ａ，３Ｂの自己復帰力によって枠体５に押し付けられているので、操作釦６と枠体５およびケース４部分との間に隙間がなくてスイッチ内部へ塵埃が侵入する可能性が少ないとともに、外観上の見栄えも良く、更に、回動軸９Ａ，９Ｂによって常に押圧スイッチ３Ａ，３Ｂを垂直に押すことができるので動作が安定していることに加えて、基板２上の２つの押圧スイッチ３Ａ，３Ｂを同時に動作させることのないものである。
【００４１】
（第２の実施の形態）
図８は、本発明の第２の実施の形態によるシーソー操作型スイッチ装置２１の断面図であり、第１の実施の形態における図２の場合と同様に、図１のＥ−Ｅ線に相当する位置における断面図である。
【００４２】
そして、図９は図８のＩ−Ｉ線における断面図である。
【００４３】
同図に示すように、本実施の形態によるシーソー操作型スイッチ装置２１は、第１の実施の形態において説明したものに対し、回動軸９Ａ，９Ｂを介して操作釦６を枠体５に押し付けるばね体２３がケース２２の天井面に取り付けられている点が異なるものであり、その他の部分の構成は第１の実施の形態によるシーソー操作型スイッチ装置１とほぼ同じである。
【００４４】
すなわち、長手方向の両端部近傍にそれぞれ押圧スイッチ３Ａ，３Ｂが装着された長方形の基板２の上部に、下面開放の箱型形状で天井面が長方形のケース２２が固定され、更に、その上部に固定された枠体５の内枠部５Ｂとケース２２の天井面の間に操作釦６が上下動可能に支持されて、操作面７が上方に露出していることは第１の実施の形態の場合と同じである。
【００４５】
しかし、操作釦６の下面の二組の支持部８Ａ，８Ｂによって２つの回動軸９Ａ，９Ｂが回動可能に保持されているが、押圧部１０Ａ，１０Ｂは押圧スイッチ２４Ａ，２４Ｂのプッシュ体２４Ｃ，２４Ｄの先端に対して、図８に示すように、僅かなギャップ（ｂ）を空けて対峙している。
【００４６】
そして、回動軸９Ａ，９Ｂは、ケース２２の天井の下面に取り付けられた弾性金属薄板製のばね体２３の二組のアーム２３Ａ，２３Ｂの弾性力によってそれぞれ押し上げられており、これによって、操作釦６の外周の突出部６Ａ，６Ｂおよび突出部６Ｃが枠体５の内枠部５Ｂの下面に当接して、通常状態における位置を保っているとともに、操作釦６と枠体５およびケース４部分との間に隙間がなくなっている。
【００４７】
このばね体２３は、図１０の本実施の形態のばね体の斜視図に示すように、りん青銅板やステンレス鋼板等の弾性金属薄板を打ち抜き・曲げ加工して形成されたものであり、２つの取付け脚２３Ｃをケース２２の天井面の取付孔２２Ａに通して取り付ける際に、上方に曲げ加工された二組のアーム２３Ａ，２３Ｂを略平面状態まで押し撓めて上方への付勢力を持たせた状態で、それぞれの先端部が回動軸９Ａ，９Ｂ用の貫通孔２２Ｃ，２２Ｄの下面に突出して取り付けられる。
【００４８】
そして、図８および図９に示すように、このシーソー操作型スイッチ装置２１の組み立て時に、操作釦６の支持部８Ａ，８Ｂに保持された回動軸９Ａ，９Ｂをそれぞれ上方からケース２２の天井面の貫通孔２２Ｃ，２２Ｄ内に挿入することによって、各回動軸９Ａ，９Ｂはばね体２３の二組のアーム２３Ａ，２３Ｂの先端部を少し押し下げた状態で固定される。
【００４９】
このようにして、通常状態において、ばね体２３の二組のアーム２３Ａ，２３Ｂの弾性力によって、回動軸９Ａ，９Ｂおよび支持部８Ａ，８Ｂを介して、操作釦６は押し上げられている。
【００５０】
そして、ばね体２３のアーム２３Ａ，２３Ｂが回動軸９Ａ，９Ｂを押し上げる弾性力は、ばね体２３の材質や材厚あるいはアーム２３Ａ，２３Ｂの巾や曲げ加工の高さによって、変更することが容易である。
【００５１】
次に、本実施の形態によるシーソー操作型スイッチ装置２１の動作について説明する。
【００５２】
第１の実施の形態の場合と同様に、操作面７の右側の端部近くを下方に押すと、本実施の形態によるシーソー操作型スイッチ装置の操作時における断面図である図１１に示すように、操作釦６は左側の突出部６Ａの先端を中心として僅かに回動して突出部６Ｂは枠体５の内枠部５Ｂから離れ、操作釦６の下面右側の回動軸９Ｂがばね体２３のアーム２３Ｂを弾性変形させながら下方に動く。
【００５３】
これにより、操作釦６右側下面の回動軸９Ｂの押圧部１０Ｂは、まず押圧スイッチ２４Ｂのプッシュ体２４Ｄの先端との僅かなギャップ（ｂ）分だけ動いてプッシュ体２４Ｄに当接すると、これを押して押圧スイッチ２４Ｂを動作させてＯＮ状態とし、その信号を配線部を介してスイッチを使用している機器の回路に伝達する。
【００５４】
そして、この状態から操作面７に加えていた押し力を除くと、ばね体２３のアーム２３Ｂの弾性復帰力によって押圧部１０Ｂおよび回動軸９Ｂを介して操作釦６が押し上げられて元の図８の状態に戻り、押圧スイッチ２４ＢもＯＦＦ状態に戻ることは、第１の実施の形態の場合と同様である。
【００５５】
この時、回動軸９Ｂが規制溝１２Ｂに係合していて傾かないとともに、支持部８Ｂの支持孔を中心として僅かに回動して、押圧部１０Ｂがプッシュ体２４Ｄを垂直に押すことができること、およびケース２２の天井面上の長手方向中点位置に設けられた一対の突起２５によって、２つの押圧スイッチ２４Ａ，２４Ｂが同時にＯＮ状態にならないことも、第１の実施の形態の場合と同様である。
【００５６】
なお、本実施の形態の場合、ケース２２の天井面上に設けられた一対の突起２５と操作釦６の下面との間のギャップ寸法は、第１の実施の形態の場合の（ａ）の寸法よりも、押圧部１０Ａ，１０Ｂと押圧スイッチ２４Ａ，２４Ｂのプッシュ体２４Ｃ，２４Ｄの先端との間のギャップ（ｂ）の分だけ大きく設定されている。
【００５７】
以上のように、本実施の形態によるシーソー操作型スイッチ装置２１は、通常状態において、操作釦６がばね体２３のアーム２３Ａ，２３Ｂの弾性力によって枠体５に押し付けられているので、操作釦６を押し上げる力が大きくて安定したものにすることができて、誤って操作面７に触れた場合などの誤操作が少ないとともに、基板２に装着する押圧スイッチ２４Ａ，２４Ｂを自己復帰力の大きいものとする必要がないことは勿論、動作ストロークの短いものでもよく、各種の特性の押圧スイッチを使用することができるので、巾広い用途に対応し易いシーソー操作型スイッチ装置である。
【００５８】
（第３の実施の形態）
図１２は、本発明の第３の実施の形態によるシーソー操作型スイッチ装置３１の断面図であり、第１の実施の形態における図２の場合と同様に、図１のＥ−Ｅ線に相当する位置における断面図である。
【００５９】
そして、図１３は図１２のＪ−Ｊ線における断面図である。
【００６０】
同図に示すように、本実施の形態によるシーソー操作型スイッチ装置３１は、第１の実施の形態において説明したシーソー操作型スイッチ装置１に対して、基板３２上の２つの押圧スイッチ３Ａ，３Ｂの中間位置に照光用のＬＥＤ３３を装着し、ケース３４の天井面中央に導光用の開口部３５を設けるとともに、操作釦３６の操作面３７の中央に透光表示部３８を設けたものである。
【００６１】
このような構成にすると、両端部近傍にそれぞれ押圧スイッチ３Ａ，３Ｂを装着した基板３２上の空きスペースである中央部にＬＥＤ３３を装着して、操作する内容などを操作釦３６の操作面３７に照光表示することができるので、非常に使い勝手の良いシーソー操作型スイッチ装置とすることができる。
【００６２】
なお、操作釦３６の操作面３７に設ける透光表示部３８は、透明樹脂で形成した操作釦３６の本体部の上面全体に塗装を施した後、表示したい文字や記号などの部分に対してレーザーエッチングなどの加工法により塗装膜を除いて、透明樹脂の部分を露出させるなどの方法によって形成できる。
【００６３】
そして、図１４は、本実施の形態による他の実施例であるシーソー操作型スイッチ装置４１の断面図であり、第１の実施の形態における図２の場合と同様に、図１のＥ−Ｅ線に相当する位置における断面図である。
【００６４】
同図に示すように、本実施例のシーソー操作型スイッチ装置４１は、上記のシーソー操作型スイッチ装置３１に対して、ケース４２を白色の樹脂で形成するとともに、天井面の開口部４３から基板３２の表面に向けてＬＥＤ３３を囲うように、椀状の反射・集光用の導光路４４を一体に設けたものである。
【００６５】
このような構成にすると、ＬＥＤ３３の発光を白色の導光路４４で反射・集光して効率良く操作釦３６の透光表示部３８へ導き、明るく明確な表示部を有するシーソー操作型スイッチ装置とすることができる。
【００６６】
なお、上述の本実施の形態によるシーソー操作型スイッチ装置３１およびシーソー操作型スイッチ装置４１は、第１の実施の形態において説明したシーソー操作型スイッチ装置１に対して、基板２上の２つの押圧スイッチ３Ａ，３Ｂの中間に照光用のＬＥＤ３３を装着し、ケースの天井面に導光部を設けるとともに、操作釦３６の操作面３７の中央に透光表示部３８を設けるとしたが、これは第２の実施の形態において説明したシーソー操作型スイッチ装置２１に対しても同様に適用することができるものである。
【００６７】
また、以上の第１〜第３の実施の形態において、各シーソー操作型スイッチ装置が独立したスイッチ装置であるように説明したが、各種電子機器の本体やリモコンなどにおいて、このようなシーソー操作型スイッチ装置が不可欠である場合には、本発明のシーソー操作型スイッチ装置のケース部分を電子機器やリモコンのキャビネットや外装ケースと一体に形成してもよいものである。
【産業上の利用可能性】
【００６８】
本発明のシーソー操作型スイッチ装置は、通常状態において操作釦とスイッチケース部分との間に隙間がなく、スイッチ内部へ塵埃が侵入する可能性が少なくて、外観上の見栄えも良く、更に、動作が安定しているとともに、基板上の２つの押圧スイッチを同時に動作させることがない。
【００６９】
従って、各種電子機器の本体やリモコンに使用されて、大きさや方向などの相対する信号を入力する手段などの用途に有用である。
【図面の簡単な説明】
【００７０】
【図１】本発明の第１の実施の形態によるシーソー操作型スイッチ装置の外観斜視図
【図２】図１のＥ−Ｅ線における断面図
【図３】図２のＦ−Ｆ線における断面図
【図４】図２のＧ−Ｇ線における断面図
【図５】図２のＨ−Ｈ線における断面図
【図６】本発明の第１の実施の形態によるシーソー操作型スイッチ装置のスイッチ駆動体の斜視図
【図７】同シーソー操作型スイッチ装置の操作時における図１のＥ−Ｅ線における断面図
【図８】本発明の第２の実施の形態によるシーソー操作型スイッチ装置の断面図
【図９】図８のＩ−Ｉ線における断面図
【図１０】本発明の第２の実施の形態によるばね体の斜視図
【図１１】同シーソー操作型スイッチ装置の操作時におけるシーソー操作型スイッチ装置の断面図
【図１２】本発明の第３の実施の形態によるシーソー操作型スイッチ装置の断面図
【図１３】図１２のＪ−Ｊ線における断面図
【図１４】本発明の第３の実施の形態による他の実施例であるシーソー操作型スイッチ装置の断面図
【符号の説明】
【００７１】
１，２１，３１，４１    シーソー操作型スイッチ装置
２，３２    基板
２Ａ    孔
３Ａ，３Ｂ，２４Ａ，２４Ｂ    押圧スイッチ
３Ｃ，３Ｄ，２４Ｃ，２４Ｄ    プッシュ体
４，２２，３４，４２    ケース
４Ａ    外周部
４Ｂ    ダボ
４Ｃ    凹部
５    枠体
５Ａ，３５，４３    開口部
５Ｂ    内枠部
５Ｃ    弾性脚部
６，３６    操作釦
６Ａ，６Ｂ，６Ｃ    突出部
７，３７    操作面
８Ａ，８Ｂ    支持部
９    スイッチ駆動体
９Ａ，９Ｂ    回動軸
１０Ａ，１０Ｂ    押圧部
１１Ａ，１１Ｂ    平板部
１２Ａ，１２Ｂ    規制溝
１３，２５    突起
２２Ａ    取付孔
２２Ｃ，２２Ｄ    貫通孔
２３    ばね体
２３Ａ，２３Ｂ    アーム
２３Ｃ    取付け脚
３３    ＬＥＤ
３８    透光表示部
４４    導光路
【図１】
2008293673.tif 000003
【図２】
2008293673.tif 000004
【図３】
2008293673.tif 000005
【図４】
2008293673.tif 000006
【図５】
2008293673.tif 000007
【図６】
2008293673.tif 000008
【図７】
2008293673.tif 000009
【図８】
2008293673.tif 000010
【図９】
2008293673.tif 000011
【図１０】
2008293673.tif 000012
【図１１】
2008293673.tif 000013
【図１２】
2008293673.tif 000014
【図１３】
2008293673.tif 000015
【図１４】
2008293673.tif 000016